(57)【要約】【課題】警備時間帯に、複数の部屋への入退室が許可された複数の利用者が作業をしている状況で、作業をしている利用者のうち２人以上が、共通部屋以外に在室し、共通部屋が無人状態であった場合には、セキュリティを保ちつつ、共通部屋への入室を可能とする。【解決手段】センタ装置１０は、警備時間帯においては、部屋別に在室中の利用者のＩＤ情報をまとめた部屋別在室情報に基づいて、予め設定された一定時間以上、利用者が居ない無人状態部屋を特定し、特定した無人状態部屋の利用権限を有する利用者が、無人状態部屋以外の他の部屋に２人以上在席しているか否かを、部屋別在室情報に基づいて判定し、無人状態部屋の利用権限を有する利用者が、他の部屋に２人以上在席していない場合には、無人状態部屋の設定を、ＩＤ情報の認証結果の一致・不一致にかかわらず扉の解錠を禁止する無人警備モードに変更する。【選択図】図１
2016051424.tif 000002
【特許請求の範囲】
【請求項１】
建物内のそれぞれの部屋の扉の施解錠制御を、各部屋への通行権限を有する利用者のＩＤ情報の認証結果に基づいて行う複数のローカルコントローラと、
上記通行権限を有する利用者のＩＤ情報を、それぞれの部屋別にまとめた部屋別認証データとして統括管理し、上記複数のローカルコントローラのそれぞれに対して、担当する部屋に対応する部屋別認証データをダウンロードし、建物全体の入退室制御を統括管理するセンタ装置と
を備えた入退室管理システムであって、
上記複数のローカルコントローラのそれぞれは、利用者が入退室する際に、利用者が所持するＩＤ情報を読み取り、読み取った上記ＩＤ情報が、上記センタ装置からダウンロードされた上記部屋別認証データに含まれている場合には、対応する部屋の扉を解錠して入退室を可能とするとともに、入室した利用者および退出した利用者のＩＤ情報を通行情報として上記センタ装置に送信し、
上記センタ装置は、
上記複数のローカルコントローラのそれぞれから上記通行情報を受信するごとに、それぞれの部屋別に在室中の利用者のＩＤ情報をまとめた部屋別在室情報を更新し、
予め設定されている警備開始予定時刻以降の警備時間帯においては、上記部屋別在室情報に基づいて、予め設定された一定時間以上、利用者が居ない部屋を無人状態部屋として特定し、特定した上記無人状態部屋の利用権限を有する利用者が、上記無人状態部屋以外の他の部屋に２人以上在席しているか否かを、上記部屋別在室情報に基づいて判定し、上記無人状態部屋の利用権限を有する利用者が、他の部屋に２人以上在席していない場合には、上記無人状態部屋の設定を、ＩＤ情報の認証結果の一致・不一致にかかわらず扉の解錠を禁止する無人警備モードに変更し、上記無人状態部屋を担当するローカルコントローラに対して上記無人警備モードへの設定変更情報を送信し、
上記複数のローカルコントローラのそれぞれは、上記センタ装置から上記無人警備モードへの設定変更情報を受信した場合には、ＩＤ情報の認証結果の一致・不一致にかかわらず、上記無人警備モードが設定された部屋の扉の解錠を禁止する
入退室管理システム。
【請求項２】
上記センタ装置は、上記警備時間帯において、特定した上記無人状態部屋の利用権限を有する利用者が、上記無人状態部屋以外の他の部屋に２人以上在席している場合には、在席している利用者に限定した部屋別限定認証データを生成し、上記無人状態部屋を担当するローカルコントローラに対して上記部屋別限定認証データを送信し、
上記複数のローカルコントローラのそれぞれは、上記センタ装置から上記部屋別限定認証データを受信した場合には、上記部屋別限定認証データに含まれているＩＤ情報を有する利用者に限定して上記扉の施解錠制御を行う
請求項１に記載の入退室管理システム。
【請求項３】
上記センタ装置は、上記無人状態部屋を担当するローカルコントローラに対して上記部屋別限定認証データを送信する際に、特定した上記無人状態部屋の利用権限を有する利用者が、予め決められた規定時間範囲内に同時に入室しようとしたことを条件に扉の解錠を許可する入室限定情報を、上記無人状態部屋を担当する上記ローカルコントローラに対してさらに送信し、
上記複数のローカルコントローラのそれぞれは、上記センタ装置から上記部屋別限定認証データとともに上記入室限定情報を受信した場合には、上記部屋別限定認証データに含まれているＩＤ情報を有する利用者全員のＩＤ情報を上記規定時間範囲内に読み取った場合に、上記扉の施解錠制御を行う
請求項２に記載の入退室管理システム。
【請求項４】
上記センタ装置は、上記警備時間帯において、特定した上記無人状態部屋の利用権限を有する利用者が、上記無人状態部屋以外の他の部屋に２人以上在席している場合には、上記部屋別認証データに基づいて、在席している利用者、および上記在席している利用者と同一の部屋に対する通行権限を有している利用者に限定した部屋別限定認証データを生成し、上記無人状態部屋を担当するローカルコントローラに対して上記部屋別限定認証データを送信し、
上記複数のローカルコントローラのそれぞれは、上記センタ装置から上記部屋別限定認証データを受信した場合には、上記部屋別限定認証データに含まれているＩＤ情報を有する利用者に限定して上記扉の施解錠制御を行う
請求項１に記載の入退室管理システム。
【請求項５】
上記センタ装置は、上記警備時間帯において、特定した上記無人状態部屋の利用権限を有する利用者が、上記無人状態部屋以外の他の部屋に２人以上在席している場合には、上記部屋別認証データに基づいて、在席している利用者、および上記無人状態部屋だけの通行権限を有している利用者に限定した部屋別限定認証データを生成し、上記無人状態部屋を担当するローカルコントローラに対して上記部屋別限定認証データを送信し、
上記複数のローカルコントローラのそれぞれは、上記センタ装置から上記部屋別限定認証データを受信した場合には、上記部屋別限定認証データに含まれているＩＤ情報を有する利用者に限定して上記扉の施解錠制御を行う
請求項１に記載の入退室管理システム。
【請求項６】
上記複数のローカルコントローラのそれぞれは、上記警備時間帯において、利用者が退室する際に上記無人警備モードへの手動設定変更信号を入力するための手動切換スイッチと接続されており、上記手動設定変更信号を受信した場合には、上記センタ装置に対して上記手動設定変更信号を送信し、
上記センタ装置は、
上記手動設定変更信号を受信した場合には、受信元のローカルコントローラに対応する部屋の利用権限を有する利用者が他の部屋に在席しているか否かを判定し、
在席者がいないと判定した場合には、手動設定変更許可信号を生成し、無人警備モードへの手動変更を許可し、上記ローカルコントローラに対して上記手動設定変更許可信号を返送し、
在席者がいると判定した場合には、手動設定変更禁止信号を生成し、上記ローカルコントローラに対して上記手動設定変更禁止信号を返送し、
上記複数のローカルコントローラのそれぞれは、
送信した上記手動設定変更信号に対する返送として、上記手動設定変更許可信号を受信した場合には、上記無人警備モードに設定変更し、ＩＤ情報の認証結果の一致・不一致にかかわらず、上記無人警備モードが設定された部屋の扉の解錠を禁止し、
送信した上記手動設定変更信号に対する返送として、上記手動設定変更禁止信号を受信した場合には、上記無人警備モードに設定変更せず、他の利用者が別の部屋に在席中であることを報知する
請求項１〜請求項５のいずれか一項に記載の入退室管理システム。
【請求項７】
建物内のそれぞれの部屋の扉の施解錠制御を、各部屋への通行権限を有する利用者のＩＤ情報の認証結果に基づいて行う複数のローカルコントローラと、
上記通行権限を有する利用者のＩＤ情報を、それぞれの部屋別にまとめた部屋別認証データとして統括管理し、上記複数のローカルコントローラのそれぞれに対して、担当する部屋に対応する部屋別認証データをダウンロードし、建物全体の入退室制御を統括管理するセンタ装置と
を備えた入退室管理システムに適用される入退室管理方法であって、
上記複数のローカルコントローラのそれぞれにおいて、
利用者が入退室する際に、利用者が所持するＩＤ情報を読み取り、読み取った上記ＩＤ情報が、上記センタ装置からダウンロードされた上記部屋別認証データに含まれている場合には、対応する部屋の扉を解錠して入退室を可能とするとともに、入室した利用者および退出した利用者のＩＤ情報を通行情報として上記センタ装置に送信するステップと、
上記センタ装置において、
上記複数のローカルコントローラのそれぞれから上記通行情報を受信するごとに、それぞれの部屋別に在室中の利用者のＩＤ情報をまとめた部屋別在室情報を更新するステップと、
予め設定されている警備開始予定時刻以降の警備時間帯においては、上記部屋別在室情報に基づいて、予め設定された一定時間以上、利用者が居ない部屋を無人状態部屋として特定するステップと、
特定した上記無人状態部屋の利用権限を有する利用者が、上記無人状態部屋以外の他の部屋に２人以上在席しているか否かを、上記部屋別在室情報に基づいて判定するステップと、
上記無人状態部屋の利用権限を有する利用者が、他の部屋に２人以上在席していない場合には、上記無人状態部屋の設定を、ＩＤ情報の認証結果の一致・不一致にかかわらず扉の解錠を禁止する無人警備モードに変更し、上記無人状態部屋を担当するローカルコントローラに対して上記無人警備モードへの設定変更情報を送信するステップと、
上記複数のローカルコントローラのそれぞれにおいて、
上記センタ装置から上記無人警備モードへの設定変更情報を受信した場合には、ＩＤ情報の認証結果の一致・不一致にかかわらず、上記無人警備モードが設定された部屋の扉の解錠を禁止するステップと
を備える入退室管理方法。
【発明の詳細な説明】
【技術分野】
【０００１】
この発明は、あらかじめ決められた時間帯において、室内に利用者がいない状態が一定時間以上継続することで、ＩＤ認証による入室を禁止するモードに自動的に切り換える入退室管理システム、及び入退室管理方法に関するものである。
【背景技術】
【０００２】
警備モードとして、監視領域が無人の際に侵入異常を監視する無人警備モードと、監視領域が無人・有人に関わらず侵入異常を監視しない警備解除モードと、監視領域が有人の際に外部からの侵入異常を監視する有人警備モードとを有する警備装置が従来から知られている（例えば、特許文献１参照）。
【０００３】
特許文献１に開示されている警備装置では、予め設定された警備開始予定時刻になったとき、警備モードが、無人警備モード及び有人警備モードのいずれにも設定されていない場合、警備モードを無人警備モードに移行している。また、監視領域の利用者の有無を考慮して、無人警備モードに移行する場合、監視領域から利用者が出たタイミングから無人警備モードに移行するまでの待機時間が設定可能になっている。
【０００４】
このようにして、待機時間として設定された一定時間、在室していないと判断された部屋の警備モードを、無人警備モードに移行し、無警戒状態になることを防止している。警備モードが、無人警備モードに移行した部屋には、入退室が許可された利用者であっても、警備開始予定時刻以降の警備時間帯である間は、入室できなくなっている。
【先行技術文献】
【特許文献】
【０００５】
【特許文献１】特開２０１０−２１８２８１号公報
【発明の概要】
【発明が解決しようとする課題】
【０００６】
しかしながら、従来技術には、以下のような課題がある。
特許文献１に示されている警備装置では、複数の部屋への入退室が許可された利用者が、警備開始予定時刻以降の警備時間帯に、ある１つの部屋で作業をしていた場合には、その他の部屋が自動で無人警備モードに設定されてしまう。これにより、利用者が現在いる以外の部屋での作業を再開できないという問題があった。
【０００７】
特に、複数の部屋への入退室が許可された複数の利用者が、警備時間帯において、共通で利用する共用部屋を不在にしており、それぞれ別の部屋にいた場合には、共用部屋に入室することができなくなるという問題があった。
【０００８】
この発明は、上記のような課題を解決するためになされたものであり、警備開始予定時刻以降の警備時間帯に、複数の部屋への入退室が許可された複数の利用者が作業をしている状況で、作業をしている利用者のうち２人以上が、共通部屋以外に在室し、共通部屋が無人状態であった場合には、セキュリティを保ちつつ、共通部屋への入室を可能とする入退室管理システム、及び入退室管理方法を得ることを目的とする。
【課題を解決するための手段】
【０００９】
この発明による入退室管理システムは、建物内のそれぞれの部屋の扉の施解錠制御を、各部屋への通行権限を有する利用者のＩＤ情報の認証結果に基づいて行う複数のローカルコントローラと、通行権限を有する利用者のＩＤ情報を、それぞれの部屋別にまとめた部屋別認証データとして統括管理し、複数のローカルコントローラのそれぞれに対して、担当する部屋に対応する部屋別認証データをダウンロードし、建物全体の入退室制御を統括管理するセンタ装置とを備えた入退室管理システムであって、複数のローカルコントローラのそれぞれは、利用者が入退室する際に、利用者が所持するＩＤ情報を読み取り、読み取ったＩＤ情報が、センタ装置からダウンロードされた部屋別認証データに含まれている場合には、対応する部屋の扉を解錠して入退室を可能とするとともに、入室した利用者および退出した利用者のＩＤ情報を通行情報としてセンタ装置に送信し、センタ装置は、複数のローカルコントローラのそれぞれから通行情報を受信するごとに、それぞれの部屋別に在室中の利用者のＩＤ情報をまとめた部屋別在室情報を更新し、予め設定されている警備開始予定時刻以降の警備時間帯においては、部屋別在室情報に基づいて、予め設定された一定時間以上、利用者が居ない部屋を無人状態部屋として特定し、特定した無人状態部屋の利用権限を有する利用者が、無人状態部屋以外の他の部屋に２人以上在席しているか否かを、部屋別在室情報に基づいて判定し、無人状態部屋の利用権限を有する利用者が、他の部屋に２人以上在席していない場合には、無人状態部屋の設定を、ＩＤ情報の認証結果の一致・不一致にかかわらず扉の解錠を禁止する無人警備モードに変更し、無人状態部屋を担当するローカルコントローラに対して無人警備モードへの設定変更情報を送信し、複数のローカルコントローラのそれぞれは、センタ装置から無人警備モードへの設定変更情報を受信した場合には、ＩＤ情報の認証結果の一致・不一致にかかわらず、無人警備モードが設定された部屋の扉の解錠を禁止する。
【００１０】
この発明による入退室管理方法は、建物内のそれぞれの部屋の扉の施解錠制御を、各部屋への通行権限を有する利用者のＩＤ情報の認証結果に基づいて行う複数のローカルコントローラと、通行権限を有する利用者のＩＤ情報を、それぞれの部屋別にまとめた部屋別認証データとして統括管理し、複数のローカルコントローラのそれぞれに対して、担当する部屋に対応する部屋別認証データをダウンロードし、建物全体の入退室制御を統括管理するセンタ装置とを備えた入退室管理システムに適用される入退室管理方法であって、複数のローカルコントローラのそれぞれにおいて、利用者が入退室する際に、利用者が所持するＩＤ情報を読み取り、読み取ったＩＤ情報が、センタ装置からダウンロードされた部屋別認証データに含まれている場合には、対応する部屋の扉を解錠して入退室を可能とするとともに、入室した利用者および退出した利用者のＩＤ情報を通行情報としてセンタ装置に送信するステップと、センタ装置において、複数のローカルコントローラのそれぞれから通行情報を受信するごとに、それぞれの部屋別に在室中の利用者のＩＤ情報をまとめた部屋別在室情報を更新するステップと、予め設定されている警備開始予定時刻以降の警備時間帯においては、部屋別在室情報に基づいて、予め設定された一定時間以上、利用者が居ない部屋を無人状態部屋として特定するステップと、特定した無人状態部屋の利用権限を有する利用者が、無人状態部屋以外の他の部屋に２人以上在席しているか否かを、部屋別在室情報に基づいて判定するステップと、無人状態部屋の利用権限を有する利用者が、他の部屋に２人以上在席していない場合には、無人状態部屋の設定を、ＩＤ情報の認証結果の一致・不一致にかかわらず扉の解錠を禁止する無人警備モードに変更し、無人状態部屋を担当するローカルコントローラに対して無人警備モードへの設定変更情報を送信するステップと、複数のローカルコントローラのそれぞれにおいて、センタ装置から無人警備モードへの設定変更情報を受信した場合には、ＩＤ情報の認証結果の一致・不一致にかかわらず、無人警備モードが設定された部屋の扉の解錠を禁止するステップとを備える。
【発明の効果】
【００１１】
この発明による入退室管理システム、及び入退室管理方法によれば、警備開始予定時刻以降の警備時間帯に、無人であると判断された部屋であっても、一定条件を満たす利用者に対しては入室を許可し、無人警備モードへの移行を行わない構成を備えている。この結果、警備開始予定時刻以降の警備時間帯に、複数の部屋への入退室が許可された複数の利用者が作業をしている状況で、作業をしている利用者のうち２人以上が、共通部屋以外に在室し、共通部屋が無人状態であった場合には、セキュリティを保ちつつ、共通部屋への入室を可能とする入退室管理システム、及び入退室管理方法を得ることができる。
【図面の簡単な説明】
【００１２】
【図１】本発明の実施の形態１における入退室管理システムを示す構成図である。
【図２】利用者Ａ及び利用者Ｂの通行権限情報を示す図である。
【図３】警備開始予定時刻以降に、図２の利用者Ａ及び利用者Ｂが共通する通行権限の部屋で作業をしている状態を示す図である。
【図４】図３の利用者Ａ及び利用者Ｂが一時的に別々の通行権限の部屋へ移動し、共通部屋ｂが無人となった状態を示す図である。
【図５】図２〜図４を基に、在室判定部が管理している在室状態を具体的に示す図である。
【図６】モード管理部が、無人警備モードに切り換える動作を示すフローチャートである。
【図７】本発明の実施の形態２におけるローカルコントローラの構成を示す構成図である。
【図８】利用者Ａ、利用者Ｂ及び利用者Ｃの通行権限情報を示す図である。
【図９】図８を基に、在室判定部が管理している在室状態を具体的に示す図である。
【図１０】警備時間帯において、利用者Ａ及び利用者Ｂが作業している共通部屋に、通行権限を有する利用者Ｃが入室しようとしている状態を示す図である。
【図１１】利用者Ａ及び利用者Ｂが、共通部屋に規定時間範囲内に同時に入室しようとしている状態を示す図である。
【図１２】利用者Ａ、利用者Ｂ、利用者Ｃ及び利用者Ｄの通行権限情報を示す図である。
【図１３】図１２を基に、在室判定部が管理している在室状態を具体的に示す図である。
【図１４】利用者Ａ及び利用者Ｂの共通部屋に、利用者Ａと同じ通行権限を有する利用者Ｃ及び利用者Ａ及び利用者Ｂとは異なるが、通行権限を有する利用者Ｄが入室しようとしている状態を示す図である。
【図１５】利用者Ａ、利用者Ｂ、利用者Ｃ及び利用者Ｄの通行権限情報を示す図である。
【図１６】、図１５を基に、在室判定部が管理している在室状態を具体的に示す図である。
【図１７】本発明の実施の形態６におけるローカルコントローラの構成を示す構成図である。
【図１８】利用者Ｂが、共通部屋を手動で無人警備モードに切り換えようとしている状態を示す図である。
【発明を実施するための形態】
【００１３】
以下、本発明の入退室管理システムの好適な実施の形態につき図面を用いて説明する。
【００１４】
実施の形態１．
一般的に、入退室管理システムが管理している建物における警備モードとしては、次の３つが挙げられる。
［有人警備モード］  警備開始予定時刻以降の警備時間帯で、利用者が在室している状態の部屋に対して設定されるモードであり、利用者の在室が確認されている部屋のみ、入退室を許可された利用者の入退室を可能にするモード。
［無人警備モード］  警備開始予定時刻以降の警備時間帯で、利用者が不在の状態（無人状態）の部屋に対して設定されるモードであり、利用者の不在が確認された部屋へは、入退室を許可された利用者であっても入退室を禁止するモード。
［警備解除モード］  警備時間帯を除く時間帯に設定され、入退室を許可された利用者であれば、部屋内が有人／無人状態に関わらず、部屋への入退室を可能にするモード。
【００１５】
ここで、警備開始予定時刻とは、建物全体または建物内のそれぞれの部屋が無人になる予定の時刻であり、予め設定された時刻である。例えば、オフィスビルでは、定時後の時間であるＰＭ７：００に設定されている。警備開始予定時刻は、建物全体として統一して設定されていてもよいし、建物内の部屋ごとに個別に設定されていてもよい。
【００１６】
また、警備時間帯とは、警備開始予定時刻から予め設定された警備終了時刻までの時間帯であり、予め設定された警備終了時刻とは、例えば、オフィスビルでは、出勤時間帯に入る時間であるＡＭ６：００に設定されている。従って、この例における警備開始予定時刻以降の警備時間帯は、ＰＭ７：００〜ＡＭ６：００に相当する。
【００１７】
本発明は、警備モードのうち、特に、警備時間帯に設定される有人警備モード及び無人警備モードを、セキュリティ性と利便性を考慮して、建物内に残っている利用者の状況に応じて適切に切り換える構成を備えている点に特徴を有するものである。
【００１８】
図１は、本発明の実施の形態１における入退室管理システムを示す構成図である。図１に示すように、入退室管理システムは、建物全体の入退室制御を統括管理するセンタ装置１０と、通信回線を介してセンタ装置１０と接続されている複数のローカルコントローラ２０とにより、要部が構成されている。
【００１９】
入退室管理システムが備えられた建物では、予め許可された利用者に入退室を制限する部屋の出入口に、錠装置が付いた扉１が設置されている。錠装置としては、例えば、電気錠や電子錠が挙げられる。扉１は、ローカルコントローラ２０に接続されている。
【００２０】
ローカルコントローラ２０は、扉１ごとに設けられている。なお、これに限らず、ローカルコントローラ２０は、複数の扉１に対応して１つ備えられていても良い。また、ローカルコントローラ２０には、カードリーダ（ＩＤ読取装置）２が接続されている。
【００２１】
カードリーダ２は、扉１の通行を許可する利用者を制限する部屋の扉１の出口及び入口それぞれに設けられている。カードリーダ２は、利用者に予め付与された入退室用カードから個人情報であるＩＤ情報を読み取るための装置である。ＩＤ情報として、例えば、所有者の名前、所属する会社名が挙げられる。
【００２２】
カードリーダ２は、利用者が入退室用カードをかざすと、入退室用カードに記憶されたＩＤ情報を読み取り、ローカルコントローラ２０に送信する。なお、ＩＤ情報の読み取りは、利用者が入退室用カードをカードリーダ２にかざす方式に限らず、例えば、非接触式の自動読み取り方式でもよい。また、カードリーダ２は、ＩＤ情報を読み取れる位置に設置されていればよく、出口及び入口の扉１に取り付けられていてもよいし、出口及び入口の近傍に設けられていてもよい。
【００２３】
センタ装置１０は、各ローカルコントローラ２０と相互に通信を行い、警備モードを設定している。また、センタ装置１０は、入退室管理システムの運用に必要な情報の設定及び管理を行っている。従って、センタ装置１０は、情報管理部１１及び警備モード管理部１２を有している。また、図示していないが、センタ装置１０は、情報管理部１１で管理されている情報に基づいた入退室用カードの発行処理を行う機能も有している。
【００２４】
情報管理部１１は、部屋情報、ＩＤ情報（個人情報）、通行権限情報（部屋別認証データ）、及び在室情報（部屋別在室情報）を管理している。部屋情報とは、各ローカルコントローラ２０が、どの部屋に設けられた扉１と接続されているかの対応関係を示す情報である。即ち、部屋情報とは、建物内の各部屋を識別するものであり、入退室管理システム設置時に設定されている。
【００２５】
ＩＤ情報及び通行権限情報の登録は、図示しない入力装置から入力される。ここで、通行権限情報とは、ＩＤ情報と、そのＩＤ情報を持つ利用者が、通行を許可される部屋情報（即ち、通行権限を有する部屋情報）とを関連づけて部屋別にまとめたデータである。ＩＤ情報及び通行権限情報の登録が完了すると、入退室用カードの発行が行われる。入退室用カードは、利用者個人に直接付与することや、利用者が所属する組織ごとに付与することができる。
【００２６】
センタ装置１０は、入力装置からＩＤ情報及び通行権限情報の新規登録情報が入力されると、入力された新規登録情報に合わせてＩＤ情報及び通行権限情報を更新する。また、更新されたＩＤ情報は、更新されたＩＤ情報を持つ利用者が通行権限を有する部屋情報に対応する扉１と接続しているローカルコントローラ２０にも送られる。
【００２７】
在室情報とは、利用者が部屋へ出入りした履歴の情報である。具体的には、センタ装置１０は、ローカルコントローラ２０から送られてくる、後述する通行情報から、ローカルコントローラ２０に対応する部屋へ利用者が出入りした履歴を部屋別に特定すると共に、現在、部屋内に在室する利用者を特定し、在室情報として逐次更新している。
【００２８】
例えば、扉１に対する操作が入室であり、扉１の入口側（部屋の外側）に設けられたカードリーダ２がＩＤ情報を読み取ったことを知らせる通行情報が送られてきた場合、センタ装置１０は、読み取ったＩＤ情報の所有者が、対応する部屋に在室中であるとして在室情報を更新する。また、扉１に対する操作が退室であり、扉１の出口側（部屋の内側）に設けられたカードリーダ２が、ＩＤ情報を読み取ったことを知らせる通行情報が送られてきた場合、センタ装置１０は、読み取ったＩＤ情報の所有者が、対応する部屋から退室したとして在室情報を更新する。在室情報は、センタ装置１０内の警備モード管理部１２に取得され、警備モードの設定に用いられる。
【００２９】
警備モード管理部１２は、状況に応じて扉１の制御を変更するための警備モードを設定している。また、警備モード管理部１２は、モード設定部１２０と、在室判定部１２１と、計時部１２３とを有している。警備モード管理部１２は、それぞれのローカルコントローラ２０に対応して、上述したような警備解除モード、有人警備モード、及び無人警備モードの３つの中から、適切な警備モードを設定している。警備モード管理部１２が、決定した警備モードは、対応するローカルコントローラ２０に送られる。
【００３０】
モード設定部１２０は、計時部１２３から読み取った現在時刻が、予め設定された警備開始予定時刻以降の警備時間帯以外の時間帯である場合に、警備モードを、外部（例えば、警備会社）に異常侵入を通報しない警備解除モードに設定し、対応する部屋のローカルコントローラ２０に送信する。警備モードが警備解除モードに設定されたローカルコントローラ２０では、建物全体、または建物内の部屋内が無人であるか否かに関わらず、自身のローカルコントローラ２０に接続された扉１の施解錠は、通行許可者のＩＤ情報に基づいて行われる。警備解除モードは、例えば、オフィスビルの場合、利用者である社員等がオフィスビルに出入りする通常の勤務時間帯に用いられる。
【００３１】
モード設定部１２０は、計時部１２３から読み取った現在時刻が、警備開始予定時刻以降の警備時間帯である場合に、この警備時間帯において在室状態である部屋の警備モードを、有人警備モードに設定し、対応する部屋のローカルコントローラ２０に送信する。警備モードが有人警備モードに設定されたローカルコントローラ２０では、ローカルコントローラ２０に接続された扉１の施解錠は、通行許可者のＩＤ情報に基づいて行われる。有人警備モードは、例えば、オフィスビルの場合、残業などにより夜間に残っている社員または、夜間に行われる建物の工事などの作業者がいる状態に相当し、利用者が建物内に出入りする可能性が低いときに用いられる。
【００３２】
モード設定部１２０は、計時部１２３から読み取った現在時刻が、警備開始予定時刻以降の警備時間帯である場合に、この警備時間帯において在室状態でない部屋（無人状態部屋）の警備モードを、無人警備モードに設定し、対応する部屋のローカルコントローラ２０に送信する。警備モードが無人警備モードに設定されたローカルコントローラ２０では、ＩＤ情報の一致・不一致にかかわらず、ローカルコントローラ２０に接続された扉１の施解錠は、禁止される。
【００３３】
即ち、無人警備モード時は、通行許可者であっても、通行不能、即ち、入室が許可されない状態になっている。無人警備モードは、例えば、オフィスビルの場合、夜間あるいは休日に用いられる。無人警備モードは、一般的には、最後にオフィスビルを退室する社員によって手動で設定される。ただし、手動設定をし忘れた場合であっても、警備開始予定時刻以降の警備時間帯で、モード設定部１２０が、予め設定された一定時間、利用者の在室が確認されないと判断した部屋、即ち、無人状態部屋に対しては、この無人警備モードが設定されるようになっている。
【００３４】
しかし、警備開始予定時刻以降の警備時間帯も、複数の部屋への通行権限を有する複数の利用者が、建物内に残っており、そのうちの少なくとも２人以上が、互いに通行権限が重複している部屋（以下、共通部屋と称す）で作業を行っている状況が存在する。共通部屋には、例えば、試験場が挙げられる。図２は、利用者Ａ及び利用者Ｂの通行権限情報を示す図である。また、図３は、警備開始予定時刻以降の警備時間帯に、図２の利用者Ａ及び利用者Ｂが共通する通行権限の部屋で作業をしている状態を示す図である。
【００３５】
図２に示すように、利用者Ａは、部屋ａ、部屋ｂ、及び部屋ｄへの通行権限を有している。また、利用者Ｂは、部屋ｂ、部屋ｃ、及び部屋ｅへの通行権限を有している。従って、図３に示すように、部屋ｂが共通部屋になる。
【００３６】
このとき、一時的に全ての利用者が、共通部屋での作業を中断して、共通部屋から出て、別々の通行権限の部屋（以下、特有部屋と称す）に移動して作業している状態、または、休憩している状態が、一定時間経過してしまう場合がある。
【００３７】
図４は、図３の利用者Ａ及び利用者Ｂが一時的に別々の通行権限の部屋へ移動し、共通部屋ｂが無人となった状態を示す図である。図４に示すように、利用者Ａは、利用者Ａの特有部屋である部屋ａに、利用者Ｂは、利用者Ｂの特有部屋である部屋ｃにいる。従って、共通部屋である部屋ｂは、無人、即ち、無人状態部屋になっている。この状態が一定時間経過した場合に、モード設定部１２０により、警備モードが有人警備モードから無人警備モードに切り換えられ、対応するローカルコントローラ２０が無人警備モードに切り換わってしまうと、各利用者は、共通部屋である部屋ｂへ入ることができなくなってしまう。
【００３８】
共通部屋が、無人警備モードに切り換わってしまうと、各利用者は、無人警備モードを解除してもらうために、警備会社に連絡をとる必要があり、作業に遅れが生じてしまう。
【００３９】
そこで、本発明では、一定時間無人になっている部屋の通行権限を有している利用者が、その他の部屋に在室していないかを、在室判定部１２１が判断している。在室判定部１２１は、人検出部１２１ａと、在室状態判定部１２１ｂとを有している。
【００４０】
人検出部１２１ａは、警備開始予定時刻以降の警報時間帯になると、情報管理部１１から各部屋の在室情報を取得し始める。ここで、情報管理部１１は、各ローカルコントローラ２０からの通行情報に基づいて、各部屋の在室情報を常に更新しており、人検出部１２１ａは、最新の在室情報を取得することとなる。人検出部１２１ａは、取得した最新の在室情報に基づいて、既に退室状態の部屋（即ち、無人状態部屋）に関しては、警備開始予定時刻のタイミングからの時間を計測し始める。
【００４１】
一方、取得した最新の在室情報が、入室状態である部屋（即ち、有人状態部屋）に関しては、人検出部１２１ａは、在室情報が入室状態（有人状態）から退室状態（無人状態）になったタイミングからの時間を計測し始める。ここで、時間は、計時部１２３から計測している。人検出部１２１ａは、計測した時間が、予め設定された一定時間を経過した部屋については、無人情報を生成し、在室状態判定部１２１ｂに送る。
【００４２】
以下、図５を用いて、在室状態判定部１２１ｂで実行される、一定時間無人になっている部屋の通行権限を有している利用者が、その他の部屋に複数人在室していないかを判断する手法を説明する。図５は、図２〜図４を基に、在室判定部１２１が管理している在室状態を具体的に示す図である。
【００４３】
図５に示すように、在室状態判定部１２１ｂは、人検出部１２１ａから部屋ｂに関する無人情報を受信すると、無人情報が生成された部屋ｂの通行許可者が、他の部屋に複数（少なくとも、２人以上）いるか否かを情報管理部１１の在室情報及び通行権限情報から確認する。
【００４４】
図５に示すように、部屋ｄ、部屋ｅ、及び範囲外は、既に、一定時間以上無人の状態が経過し、退室状態になっているので、在室状態判定部１２１ｂは、部屋ｂの通行権限を有する利用者は、部屋ｄ、部屋ｅにはいないと判断する。図５では、退室状態を「×」で示している。ここで、範囲外とは、各部屋ａ〜ｅに属さない場所を指している。例えば、帰宅して入退室管理システムの外に出た場合である。
【００４５】
一方、在室情報が入室状態である部屋ａの利用者Ａ及び部屋ｃの利用者Ｂは、図２に示すように、部屋ｂの通行権限を有している。図５では、在室情報が入室状態である表示を、「○」で示している。
【００４６】
このように、部屋ｂ以外の他の部屋に、部屋ｂの利用権限を有する複数の利用者Ａ、Ｂを確認した場合、在室状態判定部１２１ｂは、無人情報が生成された部屋ｂが、再度、利用される可能性があると認識する。無人情報が生成された部屋ｂが再度、利用される可能性があると認識した在室状態判定部１２１ｂは、無人情報が生成された部屋ｂを、仮の在室状態であると設定し、無人情報をモード設定部１２０に送らないことを決定する。
【００４７】
即ち、図５に示すように、部屋ｂの在室状態判定部１２１ｂは、部屋ｂが再度、利用される可能性があると認識し、仮の在室状態であると判断する。図５では、仮の在室状態を「△」で示している。
【００４８】
一方、部屋ｂ以外の他の部屋に、部屋ｂの利用権限を有する複数の利用者の存在が確認されない場合、在室状態判定部１２１ｂは、無人情報が生成された部屋が無人であると判断し、無人情報をモード設定部１２０に送る。
【００４９】
即ち、モード設定部１２０は、計時部１２３から読み取った現在時刻に加え、在室判定部１２１が無人情報を生成するか否かで警備モードを決定し、ローカルコントローラ２０に送信する。
【００５０】
図１に戻り、ローカルコントローラ２０の構成を説明する。図１に示すように、ローカルコントローラ２０は、モード記憶部２１、ＩＤ記憶部２２、認証部２３、及び施解錠制御部２４を有している。
【００５１】
モード記憶部２１は、モード設定部１２０から送られてくる警備モードを記憶している。モード記憶部２１が記憶している警備モードは、モード設定部１２０から新たな警備モードが送られてくると、逐次更新される。
【００５２】
ＩＤ記憶部２２には、ローカルコントローラ２０に接続されている扉１が設けられている部屋への通行を許可された利用者である通行許可者の情報が、扉１ごとに記憶されている。ここで、通行許可者の情報とは、センタ装置１０から送られており、通行権限情報に基づいて、扉１が設けられた部屋に入退室が許可されている利用者のＩＤ情報のみを指す。
【００５３】
即ち、ＩＤ記憶部２２には、扉１が設けられた部屋に入退室権限を持つ通行許可者に割り当てられた入退室用カードのＩＤ情報が、扉１が設けられた部屋へ通行可能な個人を判定するための認証データ（部屋別限定認証データ）として、扉１ごとに、予め登録されている。また、ＩＤ記憶部２２が記憶しているＩＤ情報は、センタ装置１０から更新されたＩＤ情報が送られてくると、逐次更新される。
【００５４】
認証部２３は、扉１が設けられた部屋の出入口を通行しようとしている利用者が、通行許可者であるか否かを判定している。認証部２３は、カードリーダ２からＩＤ情報を受信すると、先ず、モード記憶部２１から、現在の警備モードを確認する。
【００５５】
警備モードが、警備解除モードまたは有人警備モードである場合、認証部２３は、ＩＤ記憶部２２に記憶されたＩＤ情報の中に、受信したＩＤ情報が登録されているか否かを確認する。受信したＩＤ情報が、ＩＤ記憶部２２に記憶されているＩＤ情報と一致した場合、認証部２３は、その入退室用カードを所持した利用者を、通行許可者であると判定する。認証部２３は、扉１が設けられた部屋の出入口を通行しようとしている利用者が、通行許可者であると判定すると、入退室許可情報を施解錠制御部２４に送る。
【００５６】
一方、警備モードが、無人警備モードである場合、認証部２３は、ＩＤ認証を行わない。従って、認証部２３は、施解錠制御部２４に入退室許可情報を送らない。
【００５７】
施解錠制御部２４は、扉１の錠装置の施錠及び解錠を制御している。施解錠制御部２４は、基本的には、扉１の錠装置を施錠し、扉１が設けられた部屋の出入口を通行許可者以外が通行することを阻止している。一方、施解錠制御部２４は、認証部２３から入退室許可情報を受信すると、扉１の錠装置を解錠し、通行許可者を通す。施解錠制御部２４は、扉１を解錠したとき、利用者が部屋から退室したのか、または部屋に入室したのかの情報である通行情報を、情報管理部１１に送信する。
【００５８】
次に、警備モード管理部１２が、警備モードを無人警備モードに設定する動作について、図６のフローチャートを用いて説明する。図６は、警備モード管理部１２が、無人警備モードに切り換える動作を示すフローチャートである。
【００５９】
図６に示すように、人検出部１２１ａは、警備開始予定時刻になったか否かを、計時部１２３から取得した現在時刻に基づいて確認する（ステップＳ１０１）。ステップＳ１０１において、警備開始予定時刻になったことを確認すると、人検出部１２１ａは、情報管理部１１から、各部屋の最新の在室情報を取得する。
【００６０】
人検出部１２１ａは、在室情報が、既に、退室状態になっている部屋の場合、警備開始予定時刻からの時間を測定し始める。また、人検出部１２１ａは、警備開始予定時刻では、在室情報が入室状態になっている部屋の場合、在室情報が、入室状態から退室状態になったタイミングからの時間を計測し始める。人検出部１２１ａは、このようにして、部屋別に計測したそれぞれの時間が、予め設定された一定時間を経過したか否かを判断する（ステップＳ１０２）。
【００６１】
ステップＳ１０２において、警備開始予定時刻以降の警備時間帯で、在室情報が退室状態になっている部屋について、計測時間が一定時間経過した場合、人検出部１２１ａは、在室状態判定部１２１ｂに対して、該当する部屋に関して無人情報を送る。無人情報を受信した在室状態判定部１２１ｂは、無人情報が生成された部屋の通行権限を有している利用者が、その他の部屋に在室していないかを確認する（ステップＳ１０３）。
【００６２】
ステップＳ１０３において、無人情報が生成された部屋の通行権限を有している利用者が、その他の部屋に複数人在室していない場合、在室状態判定部１２１ｂは、該当する部屋に関して無人情報を、モード設定部１２０に送る。無人情報を受信したモード設定部１２０は、該当する部屋に対応するローカルコントローラ２０の警備モードを、無人警備モードに切り換える（ステップＳ１０４）。
【００６３】
一方、先のステップＳ１０３において、無人情報が生成された部屋の通行権限を有している利用者が、その他の部屋に複数人在室していた場合、在室状態判定部１２１ｂは、無人情報が生成された部屋が、仮の在室状態であると判断し、無人情報を、モード設定部１２０に送信しない。従って、モード設定部１２０は、該当する部屋に対応するローカルコントローラ２０の警備モードを、無人警備モードに切り換えることはない（ステップＳ１０５）。
【００６４】
このように、実施の形態１における入退室管理システムでは、警備開始予定時刻以降の警備時間帯に、在室情報が退室状態になっている部屋が、他の部屋に在室中の複数の利用者の共通部屋になっているか否かを判断する在室状態判定部を有している。このような構成を有することで、共通部屋での作業を中断して一定時間経過したとしても、在室状態判定部が、共通部屋と判断した部屋は、仮の在室状態であり、無人警備モードに切り換えることを防止することができる。
【００６５】
この結果、利用者は、共通部屋での作業をすぐに再開できるという効果を得ることができる。また、利用者は、外部に無人警備モードを解除する依頼をすることがないので、作業が遅れることを防止することができる。
【００６６】
実施の形態２．
本実施の形態２では、警備時間帯において一定時間無人になっている共通部屋へ通行可能な利用者を、通行権限を有していることに加えて、さらに制限している例について説明する。
【００６７】
図７は、本発明の実施の形態２におけるローカルコントローラ２０の構成を示す構成図である。図７に示すように、ローカルコントローラ２０は、時間外記憶部２５をさらに有している。この時間外記憶部２５は、ＩＤ記憶部２２に登録されたＩＤ情報のうち、警備開始予定時刻以降の警備時間帯に建物内にいる利用者のＩＤ情報（以下、時間外ＩＤ情報と称す）のみを認証データ（部屋別限定認証データ）として記憶している。より具体的には、警備時間帯において、最新の時間外ＩＤ情報が、センタ装置１０から逐次送信され、時間外記憶部２５内に記憶されることとなる。その他の構成は、先の実施の形態１と同様である。
【００６８】
センタ装置１０は、在室情報に基づいて、警備開始予定時刻以降の警備時間帯に建物内にいる利用者のＩＤ情報を、ＩＤ情報を持つ利用者が通行権限を有する部屋情報に対応するローカルコントローラ２０に送る。センタ装置１０は、警備時間帯に入退室管理システムの外に出た利用者を検出すると、更新された在室情報に基づいて、再び、建物内にいる利用者のＩＤ情報を更新し、対応するローカルコントローラ２０に更新したＩＤ情報を送る。これにより、時間外記憶部２５の時間外ＩＤ情報は、逐次書き換えられていく。
【００６９】
モード記憶部２１には、モード設定部１２０から送られてくる最新の警備モードが記憶されている。そして、認証部２３は、モード記憶部２１から取得した最新の警備モードが、有人警備モードである場合には、ＩＤ情報の取得先を、ＩＤ記憶部２２から時間外記憶部２５に切り換える。これにより、在室状態判定部１２１ｂが判断した仮の在室状態になっている共通部屋における認証部２３は、建物内に残っており、共通部屋への通行権限を有する利用者（即ち、仮の在室状態を形成している本人達）以外の入退室を許可しないこととなる。即ち、警備開始予定時刻前は、通行許可者であった利用者も、警備開始予定時刻以降の警備時間帯に、一度入退室管理システムの外に出た場合には、通行を許可されないことになる。
【００７０】
具体的な説明を、図８、図９及び図１０を用いて説明する。図８は、利用者Ａ、利用者Ｂ及び利用者Ｃの通行権限情報を示す図である。また、図９は、図８を基に、在室判定部１２１が管理している在室状態を具体的に示す図である。さらに、図１０は、警備時間帯において、利用者Ａ及び利用者Ｂが作業している共通部屋に、通行権限を有する利用者Ｃが入室しようとしている状態を示す図である。なお、図９の「○」、「△」、「×」は、先の図５で示した定義と同じである。
【００７１】
図８に示すように、利用者Ａ及び利用者Ｂの通行権限については、先の実施の形態１と同様である。利用者Ｃは、部屋ａ〜部屋ｅ全てに通行権限を有している。しかし、図９に示すように、利用者Ｃは、警備開始予定時刻以降の警備時間帯に入退室管理システムの外である範囲外に出ている。従って、図１０に示すように、警備時間帯においては、時間外ＩＤ情報には利用者Ｃが含まれておらず、利用者Ｃが、再び共通部屋である部屋ｂに入室しようとしても、認証されず、ブロックされることとなる。
【００７２】
このように、実施の形態２における入退室管理システムは、警備開始予定時刻以降の警備時間帯に建物内にいる利用者の時間外ＩＤ情報のみを記憶する時間外記憶部をさらに有している。このような構成を備えることで、共通部屋での作業を中断している利用者のみ、入退室を許可することができる。
【００７３】
なお、本実施の形態２では、警備開始予定時刻以降に建物内にいる利用者の時間外ＩＤ情報のみを認証データとして記憶する時間外記憶部２５が設けられているが、ＩＤ記憶部２２が、時間外記憶部２５の役割を兼ね備える構成としてもよい。この場合、ローカルコントローラ２０は、時間外記憶部２５を有している必要はない。
【００７４】
実施の形態３．
先の実施の形態２では、警備時間帯において仮の在室状態になっている共通部屋は、通行権限を有すると共に、入退室管理システムの外に出ていない利用者であれば、自由に共通部屋に入退室可能になっている。これに対して、本実施の形態３では、仮の在室状態になっている共通部屋への入室に、さらなる制限を設けた例について説明する。
【００７５】
本実施の形態３における入退室管理システムの構成は、先の実施の形態２と同様である。しかし、在室判定部１２１は、共通部屋である部屋ｂが仮の在室状態であると判断すると、部屋ｂの認証部２３に対して、時間外ＩＤ情報に含まれているすべての利用者が、一定時間内に入室しようとする場合のみ入室を許可する情報として、入室制限情報を送る。
【００７６】
部屋ｂの認証部２３は、在室状態判定部１２１ｂから入室制限情報を取得すると、記憶されている時間外ＩＤ情報を有する利用者全てが規定時間範囲内に同時に入室しようとしたときのみ、通行許可者であると判断し、扉１の錠装置を解錠することを許可することとなる。
【００７７】
具体的な説明を、図１１を用いて説明する。図１１は、利用者Ａ及び利用者Ｂが、共通部屋に規定時間範囲内に同時に入室しようとしている状態を示す図である。図１１に示すように、利用者Ａ及び利用者Ｂが、仮の在室状態になっている共通部屋に規定時間範囲内に同時に入室する場合、扉１の錠装置は、解錠される。ここで、規定時間範囲内に同時に入室する場合とは、カードリーダ２にＩＤ情報を読み込ませる時間が予め設定された一定時間内（例えば、３０秒以内）に行われることを示す。
【００７８】
一方、図示いていないが、仮の在室状態になっている共通部屋に、利用者Ａあるいは利用者Ｂのそれぞれが、ばらばらに入室しようとした場合には、認証部２３により通行許可者であると判断されないため、扉１の錠装置は、解錠されない。
【００７９】
このように、実施の形態３における入退室管理システムでは、仮の在室状態になっている共通部屋への入室に、利用者全員が規定時間範囲内に同時に入室するときのみ、認証部が通行許可者であると判断している。このような構成を備えることで、特定の利用者のみが勝手に作業を開始することができないようにすることができる。
【００８０】
実施の形態４．
先の実施の形態２では、警備時間帯では、共通部屋での作業を中断している利用者のみ、入退室を許可している。これに対して、本実施の形態４では、作業を中断している利用者と同じ通行権限を有している利用者であれば、警備開始予定時刻以降の警備時間帯に入退室管理システムの外に出た利用者でも入退室が許可される例について説明する。
【００８１】
本実施の形態４における入退室管理システムの構成は、先の実施の形態２と同様である。しかし、センタ装置１０は、警備時間帯に建物内にいる利用者のＩＤ情報のみではなく、警備時間帯に建物内にいる利用者のＩＤ情報と同じＩＤ情報を持つ利用者のＩＤ情報も、時間外記憶部２５に送る。
【００８２】
この結果、時間外記憶部２５は、警備時間帯に建物内にいる利用者のＩＤ情報、及び警備時間帯に建物内にいる利用者のＩＤ情報と同じＩＤ情報を持つが、既に入退室管理システムの外に出た利用者のＩＤ情報を時間外ＩＤ情報として記憶することとなる。
【００８３】
具体的な説明を、図１２、図１３、及び図１４を用いて説明する。図１２は、利用者Ａ、利用者Ｂ、利用者Ｃ及び利用者Ｄの通行権限情報を示す図である。また、図１３は、図１２を基に、在室判定部１２１が管理している在室状態を具体的に示す図である。さらに、図１４は、利用者Ａ及び利用者Ｂの共通部屋に、利用者Ａと同じ通行権限を有する利用者Ｃ及び利用者Ａ及び利用者Ｂとは異なるが、通行権限を有する利用者Ｄが入室しようとしている状態を示す図である。なお、図１３の「○」、「△」、「×」は、先の図５で示した定義と同じである。
【００８４】
図１２に示すように、利用者Ａ及び利用者Ｂの通行権限については、先の実施の形態１と同様である。利用者Ｃは、利用者Ａと同様、部屋ａ、部屋ｂ、及び部屋ｄの通行権限を有している。また、利用者Ｄは、利用者Ａ、Ｂとは異なり、部屋ａ、部屋ｂ、部屋ｄ、及び部屋ｅの通行権限を有している。
【００８５】
このとき、図１３に示すように、利用者Ｃ及び利用者Ｄは、警備時間帯に一度は入退室管理システムの外である範囲外に出ている。しかし、図１２に示すように、利用者Ｃは、利用者Ａと通行権限が同じである。この場合、利用者Ａと利用者Ｃとは、同じ会社の人間である確率が高く、利用者Ａが利用者Ｃに手伝いを依頼することが考えられる。
【００８６】
そこで、本実施の形態４では、利用者Ａと通行権限が同じである利用者Ｃに関しては、時間外ＩＤ情報に含まれるようにしている。その結果、図１４に示すように、利用者Ｃは、一度、警備開始予定時刻以降に入退室管理システムの外である範囲外に出ていたとしても、再び共通部屋に入室することが可能になる。
【００８７】
一方、利用者Ｄは、利用者Ａ及び利用者Ｂのどちらとも通行権限が一致していない。従って、利用者Ａ及び利用者Ｂとは、異なる会社の人間である確率が高く、利用者Ａ及び利用者Ｂのいずれかが、利用者Ｄに手伝いを依頼することは考えにくいと推測される。
【００８８】
そこで、本実施の形態４では、利用者Ａあるいは利用者Ｂのいずれとも一致しない通行権限を有している利用者Ｄに関しては、時間外ＩＤ情報に含まれないようにしている。その結果、図１４に示すように、利用者Ａ及び利用者Ｂのどちらとも通行権限が一致していない利用者Ｄは、一度、警備開始予定時刻以降に入退室管理システムの外である範囲外に出ているので、再び共通部屋である部屋ｂに入室しようとしても、認証されず、ブロックされてしまう。
【００８９】
このように、実施の形態４における入退室管理システムでは、警備時間帯に在席している利用者Ａ、Ｂとともに、すでに、警備時間帯において一旦は入退室管理システムの外に出た利用者であっても、利用者Ａ、または利用者Ｂと同じ通行権限を有している利用者に関しては、時間外記憶部にＩＤ情報として記憶するようにしている。この結果、作業を中断している利用者と同じ通行権限を有している利用者であれば、警備開始予定時刻以降の警備時間帯に入退室管理システムの外に出た利用者でも、入退室が許可される。これにより、同じ会社の人に作業を手伝ってもらう時に、警備会社に連絡して通行権限の復帰を依頼することなく、共通部屋への入退室を可能にすることができる。
【００９０】
なお、本実施の形態４では、利用者Ｄは、利用者Ａと通行権限が完全には一致しないため、入退室が許可されない場合について説明した。しかしながら、利用者Ｄは、図１２に示したように、利用者Ａと同じ通行権限に加えて、さらに、部屋ｅの通行権限を有している。従って、利用者Ｄは、利用者Ａの上司であり、利用者Ａよりも多くの部屋への通行権限を有していると考えることもできる。従って、警備時間帯において一旦は入退室管理システムの外に出た利用者であっても、利用者Ｄのように、利用者Ａと同じ通行権限を全て含むような利用者についても、時間外記憶部にＩＤ情報として記憶するようにすることも可能である。
【００９１】
実施の形態５．
先の実施の形態２、４では、警備時間帯に入退室管理システムの外である範囲外に出た利用者が、再び共通部屋に入退室するときには制限があった。これに対して、本実施の形態５では、警備時間帯に入退室管理システムの外である範囲外に出た利用者であっても、共通部屋への通行権限を有する利用者であれば、入室が許可される例について説明する。
【００９２】
本実施の形態５における入退室管理システムの構成は、先の実施の形態１と同様である。本実施の形態５の認証部２３は、一度、警備開始予定時刻以降の警備時間帯に入退室管理システムの外である範囲外に出ていたとしても、通行権限を有する利用者であれば、共通部屋に入ることを許可している。
【００９３】
即ち、ＩＤ記憶部２２は、警備開始予定時刻以降に建物内にいるか否かに関わらず、通行許可者のＩＤ情報全てを記憶している。
【００９４】
具体的な説明を、図１４、図１５、及び図１６を用いて説明する。図１４は、先の実施の形態４と同じである。図１５は、利用者Ａ、利用者Ｂ、利用者Ｃ及び利用者Ｄの通行権限情報を示す図である。また、図１６は、図１５を基に、在室判定部１２１が管理している在室状態を具体的に示す図である。なお、図１６の「○」、「△」、「×」は、先の図５で示した定義と同じである。
【００９５】
図１５に示すように、利用者Ａ及び利用者Ｂの通行権限については、先の実施の形態１と同様である。また、本実施の形態５における利用者Ｃは、部屋ｂの通行権限を有しており、利用者Ｄは、部屋ａ、部屋ｃ、部屋ｄ、及び部屋ｅの通行権限を有している。
【００９６】
ここで、図１６に示すように、利用者Ｃ及び利用者Ｄは、警備時間帯に入退室管理システムの外である範囲外に出ている。しかし、利用者Ｃは、共通部屋である部屋ｂの通行権限を有している。一方、利用者Ｄは、部屋ｂの通行権限を有していない。
【００９７】
そこで、図１４に示すように、利用者Ｃは、部屋ｂへの通行権限を有しているので、一度、警備開始予定時刻以降に入退室管理システムの外である範囲外に出ていても、ＩＤ記憶部２２内にＩＤ情報が存在する。従って、利用者Ｃは、再び共通部屋である部屋ｂに入室可能になっている。
【００９８】
一方、利用者Ｄは、共通部屋である部屋ｂへの通行権限を有していないので、ＩＤ記憶部２２内にＩＤ情報が存在しない。従って、利用者Ｄは、部屋ｂに入室しようとしても、認証部２３で認証されず、ブロックされてしまう。
【００９９】
このように、実施の形態５における入退室管理システムでは、共通部屋に通行権限を有している利用者であれば、警備開始予定時刻以降に入退室管理システムの外に出た利用者でも入退室が許可される。これにより、異なる会社の人に作業を手伝ってもらう時に、警備会社に連絡して通行権限の復帰を依頼することなく、共通部屋への入退室を可能にすることができる。
【０１００】
実施の形態６．
仮の在室状態になっている共通部屋を、手動で無人警備モードに切り換える場合、作業を中断している利用者が他の部屋にいるときに、共通部屋内の作業者に対して通知が行われる例について、説明する。
【０１０１】
図１７は、本発明の実施の形態６におけるローカルコントローラ２０の構成を示す構成図である。図１７に示すように、ローカルコントローラ２０には、手動切換スイッチ３、及び報知機４が接続されている。また、ローカルコントローラ２０は、報知機４を介して利用者に通知（警告）を行う報知部２６を有している。その他の構成は、先の実施の形態１と同様である。
【０１０２】
手動切換スイッチ３は、扉１の出口の近傍に設けられている。利用者は、警備時間帯において、手動切換スイッチ３を操作することで、手動で警備モードを無人警備モードに切り換えることが可能になっている。報知判定部２６は、利用者により警備時間帯に手動切換スイッチ３が操作されると、無人警備モードに切り換える指令（手動設定変更信号）を警備モード管理部１２に送信する。報知警報部２６は、図示していないローカルコントローラ２０とセンタ装置１０との相互通信を行う通信部を介して無人警備モードに切り換える指令を警備モード管理部１２に送信している。
【０１０３】
図１８は、利用者Ｂが、手動切換スイッチ３を操作して、共通部屋である部屋ｂを手動で無人警備モードに切り換えようとしている状態を示す図である。図１８に示すように、利用者Ｂが手動で無人警備モードに切り換えようとしているとき、共通部屋である部屋ｂへの通行権限を有する利用者Ａが、特有部屋である部屋ａに在室中である。
【０１０４】
モード設定部１２０は、部屋ｂの報知警報部２６から手動で無人警備モードに切り換える指令を受け取ったとき、在室判定部１２１に、無人警備モードに切り換える指令を部屋ｂから受けた情報（無人モード切り換え情報）を送る。
【０１０５】
人検出部１２１ａは、部屋ｂに関する無人モード切り換え情報を受信すると、計測している時間が、予め設定された一定時間を経過したか否かに関わらず、無人情報を生成し、無人モード切り換え情報と共に、在室状態判定部１２１ｂに送る。
【０１０６】
在室状態判定部１２１ｂは、人検出部１２１ａから、部屋ｂに関する無人情報及び無人モード切り換え情報を受信すると、無人情報が生成された部屋ｂの通行許可者が、他の部屋にいるか否かを情報管理部１１の在室情報及び通行権限情報から確認する。
【０１０７】
在室状態判定部１２１ｂは、無人警備モードに切り換えようとしている部屋ｂへの通行許可者が他の部屋にいない場合、部屋内は無人であると判断し、部屋ｂに関する無人情報を、モード設定部１２０に送信する。これにより、無人情報を受信したモード設定部１２０は、部屋ｂの警備モードを、無人警備モードに切り換える。また、在室状態判定部１２１ｂは、無人警備モードへの切り換えを許可する手動設定変更許可信号を生成し、報知判定部２６に返送する。
【０１０８】
一方、無人警備モードに切り換えようとしている部屋ｂへの通行許可者が他の部屋にいる場合、在室状態判定部１２１ｂは、部屋ｂ内は仮の在室状態が継続中であると判断し、部屋ｂに関する無人情報をモード設定部１２０に送信しない。これにより、モード設定部１２０は、部屋ｂの警備モードを、無人警備モードに切り換えることはない。また、在室状態判定部１２１ｂは、無人警備モードへの切り換えを許可しない手動設定変更禁止信号を生成し、報知判定部２６に返送する。
【０１０９】
手動設定変更禁止信号を受信した部屋ｂの報知部２６は、手動で無人警備モードに切り換えようとしている利用者Ｂに対して、他の部屋に、共通部屋ｂの利用権限を有する他の利用者Ａがまだいることを、報知機４から通知する。報知機４は、カードリーダ２に搭載されていてもよいし、別途設けられていてもよい。
【０１１０】
このように、実施の形態６における入退室管理システムでは、警備時間帯において、共通部屋を、利用者が手動で無人警備モードに切り換えようとしたときに、他の部屋にまだ共通部屋の通行権限を有する利用者がいた場合、無人警備モードへの切り換えを行わないとともに、報知機から他の部屋にまだ利用者がいることを通知している。このような構成を備えることで、作業を中断している利用者がいるにも関わらず、共通部屋が無人警備モードに切り換わることを防止することができる。
【０１１１】
なお、本実施の形態６の構成は、先の実施の形態１以外にも、実施の形態２〜５に適用することも可能である。
【符号の説明】
【０１１２】
１  扉、１０  センタ装置、２０  ローカルコントローラ。
【図１】
2016051424.tif 000003
【図２】
2016051424.tif 000004
【図３】
2016051424.tif 000005
【図４】
2016051424.tif 000006
【図５】
2016051424.tif 000007
【図６】
2016051424.tif 000008
【図７】
2016051424.tif 000009
【図８】
2016051424.tif 000010
【図９】
2016051424.tif 000011
【図１０】
2016051424.tif 000012
【図１１】
2016051424.tif 000013
【図１２】
2016051424.tif 000014
【図１３】
2016051424.tif 000015
【図１４】
2016051424.tif 000016
【図１５】
2016051424.tif 000017
【図１６】
2016051424.tif 000018
【図１７】
2016051424.tif 000019
【図１８】
2016051424.tif 000020